(57)【要約】【課題】比較的大型で大重量であるコンクリート柱に適用できる吊り上げ用の台棒装置と、これを用いたコンクリート柱の切断回収方法を提供する。【解決手段】台棒本体２と、これに固着された支持枠３と、台棒本体２をコンクリート柱Ｐに支持するための下部台座４及び上部台座５と、コンクリート柱Ｐの上部切断柱Ｐ１を吊り上げるロープ７を掛け回す滑車装置６とから台棒装置１を構成する。台棒本体２のユニット柱２ａ，２ｂ，２ｃを旋回部２ｄで軸周り回転自在に接続する。台座４の本体４ａの一端をユニット柱２ａに枢着し、他端側に当接部４ｄを設ける。本体４ａをバンド４ｂでコンクリート柱Ｐに固定する。台座５の本体５ａの一端をユニット柱２ａに固着し、他端側に当接部５ｃを設ける。本体５ａをバンド５ｂでコンクリート柱Ｐに固定する。コンクリート柱Ｐの切断柱Ｐ１をロープ７で吊り上げ、ユニット柱２ｂを旋回させ、適宜位置に荷下ろしする。【選択図】図５
2004204506.tif 000002
【特許請求の範囲】
【請求項１】
柱状の台棒本体と、台棒本体の上端部に側方へ張り出すように固着された支持枠と、台棒本体の下部に設けられ台棒本体をコンクリート柱と平行に当該コンクリート柱に支持するための下部台座及び上部台座と、コンクリート柱の上部切断柱を吊り上げるロープを掛け回すために前記支持枠に係止された滑車装置とを具備し、
前記台棒本体は、少なくとも上下２本のユニット柱を軸周り相対回転自在に接続して構成され、
前記下部台座は、一端が前記下部ユニット柱の下端に枢着され、他端側に前記コンクリート柱の側面に当接する当接部を備えた台座本体と、この台座本体をコンクリート柱に固定するためのチェーンバンドとを具備し、
前記上部台座は、一端が前記下部ユニット柱の上部側面に固着され、他端側に前記コンクリート柱の側面に当接する当接部を備えた台座本体と、この台座本体をコンクリート柱に固定するためのチェーンバンドとを具備し、
コンクリート柱の上部切断柱をロープで吊り上げて上部ユニット柱を旋回させて荷下ろしできるようにしたことを特徴とするコンクリート柱吊り上げ用台棒装置。
【請求項２】
前記支持枠が、コンクリート柱の上端部を挿通させて転倒させないように支持できる挿通空間を有することを特徴とする請求項１に記載のコンクリート柱吊り上げ用台棒装置。
【請求項３】
コンクリート柱の切断回収方法であって、
（１）互いに軸周りに相対回転自在に結合された上下少なくとも２本のユニット柱から構成された柱状の台棒本体と、台棒本体の上端部から側方へ張り出しコンクリート柱の上端部を挿通させることができるように構成された支持枠と、台棒本体の下部ユニット柱の下端部に枢着され台棒本体をコンクリート柱から離して当該コンクリート柱と平行に支持するようにコンクリート柱に固定可能な下部台座と、下部ユニット柱の中間部に設けられ台棒本体をコンクリート柱から離して当該コンクリート柱と平行に支持するようにコンクリート柱に固定可能な上部台座と、コンクリート柱の切断柱を吊り上げるロープを掛け回すために前記支持枠に係止された滑車装置とを具備した台棒装置を用意する工程と、
（２）  前記支持枠にコンクリート柱の上端部を挿通させた状態で、前記下部台座と上部台座とを当該コンクリート柱に固定して前記台棒本体をコンクリート柱の上部位置に固定する工程と、
（３）  一端側が地上のウインチに接続された前記ロープの他端側を前記コンクリート柱の上端部に係止する工程と、
（４）  前記コンクリート柱における前記上部台座当接位置より上方部位を破断する工程と、
（５）  破断された前記コンクリート柱の上端側切断柱を前記ロープで吊り上げながら前記台棒本体の上部ユニット柱を下部ユニット柱に対して軸周りに回転するよう操作して前記切断柱を側方へ移動させて地上に吊り降ろす工程と、
（６）  前記台棒本体を残存コンクリート柱の下部位置に移動して前記同様にコンクリート柱に固定する工程と、
（７）  前記ロープの他端を残存コンクリート柱の上端部に係止する工程と、
（８）  前記残存コンクリート柱における前記上部台座当接位置より上方部位を破断する工程と、
（９）  残存コンクリート柱の上端側切断柱を前記ロープで吊り上げながら前記台棒本体の上部ユニット柱を下部ユニット柱に対して軸周りに回転し、前記切断柱を側方へ移動させて地上に吊り降ろす工程と、
（１０） 前記下部台座が残存コンクリート柱の下端部付近に配置されるまで前記（７）ないし（９）の工程を所要回数繰り返す工程と、
（１１）  前記下部台座が残存コンクリート柱の下端部付近に配置された状態で、前記上部台座をコンクリート柱から解放し、前記台棒本体を下部台座との枢支点を中心に地上に転倒させて分解回収する工程とを含むことを特徴とするコンクリート柱の切断回収方法。
【発明の詳細な説明】
【０００１】
【発明の属する技術分野】
この発明は、電柱などとして建てられたコンクリート柱で不要となったものを複数に切断して回収する作業用の台棒装置と、これを用いたコンクリート柱の切断回収方法に関するものである。
【０００２】
【従来の技術】
従来コンクリート柱の切断回収作業は、一般にクレーン車等の重機を用いて行われているが、市街地などでは、大型の重機の使用が困難であり、また既設道路から離れた田畑地等ではクレーン搬入用の仮設道路の設置が必要であるという問題点がある。
比較的小型で軽量な仮設電柱の建設、撤去作業には、台棒装置が用いられている。例えば、建築現場の狭隘なスペースに、下部柱材と上部柱材とに分割できる仮設電柱（パンザーマスト）を迅速に組み上げ、また撒去回収できる台棒装置として、特許文献１に記載されたものが知られている。
この装置は、上端に滑車を取り付けた台棒を、接続、分離できる複数の台棒部材で構成する。台棒をバンド金具で既設の下部マスト部材へ固定し、台棒の滑車に掛けたロープで上部のマスト部材を吊り上げて下部マスト部材へ接続する。
【特許文献１】実開平１−１１８５６８号公報
【０００３】
【発明が解決しようとする課題】
上記従来の台棒装置を適用できる仮設電柱は、比較的小型軽量である。コンクリート柱は一般にこれより大型で大重量であるから、従来の台棒装置をそのままコンクリート柱の切断回収作業に適用することができない。
従って、この発明は、比較的大型で大重量であるコンクリート柱に適用できる吊り上げ用の台棒装置と、これを用いたコンクリート柱の切断回収方法を提供することを課題としている。
【０００４】
【課題を解決するための手段】
請求項１に記載の発明においては、上記課題を解決するため、柱状の台棒本体２と、台棒本体２の上端部に側方へ張り出すように固着された支持枠３と、台棒本体２をコンクリート柱Ｐと平行に当該コンクリート柱に支持するために台棒本体２の下部に設けられた下部台座４及び上部台座５と、コンクリート柱Ｐの上部切断柱Ｐ１を吊り上げるロープ７を掛け回すために支持枠３に係止された滑車装置６とを具備させて台棒装置１を構成する。台棒本体２は、少なくとも上下２本のユニット柱２ａ，２ｂを旋回部２ｄで軸周り相対回転自在に接続して構成する。下部台座４の台座本体４ａには、一端を下部ユニット柱２ａの下端に枢着し、他端側にコンクリート柱Ｐの側面に当接する当接部４ｄを設ける。また台座本体４ａをコンクリート柱Ｐに固定するためのチェーンバンド４ｂを設ける。上部台座５の台座本体５ａは、一端を下部ユニット柱２ａの上部側面に固着し、他端側にはコンクリート柱Ｐの側面に当接する当接部５ｃを設ける。また台座本体５ａをコンクリートＰ柱に固定するためのチェーンバンド５ｂを設ける。コンクリート柱Ｐの切断柱Ｐ１をロープ７で吊り上げて、上部ユニット柱２ｂを旋回させ、適宜の位置に荷下ろしできるようにした。
請求項２に記載の発明は、上記台棒装置１における支持枠３に、コンクリート柱Ｐの上端部を挿通させて転倒させないように支持できる挿通空間Ｓを設ける。請求項３に記載の発明は、上記台棒装置１を用いたコンクリート柱Ｐの切断回収方法であって、以下の工程を含むものである。即ち、（１）上記台棒装置１を用意する工程、（２）支持枠３にコンクリート柱Ｐの上端部を挿通させた状態で、下部台座４と上部台座５とを当該コンクリート柱Ｐに固定して台棒本体２をコンクリート柱Ｐの上部位置に固定する工程、（３）一端側が地上のウインチに接続されたロープ７の他端側をコンクリート柱Ｐの上端部に係止する工程、（４）コンクリート柱Ｐにおける上部台座５の当接位置より上方部位を破断する工程、（５）切断コンクリート柱Ｐ１をロープ７で吊り上げながら台棒本体２の上部ユニット柱２ｂを下部ユニット柱２ａに対して軸周りに回転するよう操作して切断柱Ｐ１を側方へ移動させて地上に吊り降ろす工程、（６）台棒本体２を残存コンクリート柱Ｐの下部位置に移動して同様にコンクリート柱Ｐに固定する工程と、（７）ロープ７の他端を残存コンクリート柱Ｐの上端部に係止する工程、（８）残存コンクリート柱Ｐにおける上部台座５の当接位置より上方部位を破断する工程、（９）残存コンクリート柱Ｐの上端側切断柱をロープ７で吊り上げながら台棒本体１の上部ユニット柱２ｂを下部ユニット柱２ａに対して軸周りに回転し、切断柱Ｐ２を側方へ移動させて地上に吊り降ろす工程、（１０）下部台座４が残存コンクリート柱の下端部付近に配置されるまで（７）ないし（９）の工程を所要回数繰り返す工程、（１１）下部台座４が残存コンクリート柱Ｐの下端部付近に配置された状態で、上部台座５をコンクリート柱Ｐから解放し、台棒本体２を下部台座４との枢支点４ｃを中心に地上に転倒させて分解回収する工程、である。
【０００５】
【発明の実施の形態】
図面を参照して本発明の実施の形態を説明する。図１は台棒装置を用いたコンクリート柱の切断回収工程を示す説明図、図２は台棒装置の旋回部の断面図、図３は台棒装置の下部台座の正面図、図４乃至図９はコンクリート柱の切断回収工程を示す説明図である。
【０００６】
図１、図４において、台棒装置１は、柱状の台棒本体２と、台棒本体２の上端部に側方へ張り出すように固着された支持枠３と、台棒本体２をコンクリート柱Ｐと平行に当該コンクリート柱Ｐに支持するために台棒本体２の下部に設けられた下部台座４及び上部台座５とを具備する。支持枠３には、滑車装置６が係止され、これに吊り上げ用ロープ７が掛け回される。ロープ７は、図示しない地上のウインチに係止されている。
【０００７】
台棒本体２は、３本のユニット柱２ａ，２ｂ，２ｃを分解可能に接続してなる。図２に示すように、最下部のユニット柱２ａとその上のユニット柱２ｂとは、旋回部２ｄにおいて軸周り相対回転自在に接続されている。最上部のユニット柱２ｃには、振れ止めロープ８が係止されている。
【０００８】
支持枠３は、一端側が台棒本体２に固着された矩形の枠体で、コンクリート柱の上端部を挿通させて転倒させないように支持できる挿通空間Ｓを有する。
【０００９】
図３に示すように、下部台座４は、台座本体４ａとこれをコンクリート柱Ｐに固定するためのチェーンバンド４ｂとを具備する。台座本体４ａは、一端側に、下部ユニット柱２ａの下端を枢支する枢着部４ｃを有し、他端側に、コンクリート柱Ｐの側面に当接する当接部４ｄを有する。また台座本体４ａの他端側上部に、にイヤ４ｅとこれに結合されＵクレビス４ｆとを有する。チェーンバンド４ｂは、台座本体４ａをコンクリート柱Ｐに容易に固定し、また解放することができる。
【００１０】
図１に示すように、上部台座５は、台座本体５ａと、これをコンクリート柱Ｐに固定するためのチェーンバンド５ｂとを具備する。台座本体５ａは、一端側が下部ユニット柱２ａの上部側面に固着され、他端側にはコンクリート柱Ｐの側面に当接する当接部５ｃを備える。また台座本体５ａの他端側上部に、イヤ４ｄとこれに結合されＵクレビス５ｅとを有する。
【００１１】
次に台棒装置１を用いたコンクリート柱Ｐの切断回収工事の方法を説明する。この方法は、図１（Ａ），（Ｂ），（Ｃ）に示すように、台棒装置１の固定位置をコンクリート柱Ｐに対して順次下方へ移動しつつ、コンクリート柱Ｐを上方から、切断位置Ｃ１，Ｃ２，Ｃ３と順次下方へ切断し、切断した上部を台棒装置１で地上へ吊り降ろし、最後に台棒装置１自体をコンクリート柱Ｐから外して回収するものである。
【００１２】
まず地上で台棒装置１を組み立てる。次に、図４に示すように、コンクリート柱Ｐの上端部付近に、台棒装置１を吊り上げるための滑車９とロープ１０を掛ける。次いで、コンクリート柱Ｐに、第１回切断位置Ｃ１及び台座４，５の取り付け位置（切断位置Ｃ１より下方）を明示する。ロープ１０をウインチで引いて台棒装置１を吊り上げ、図１（Ａ），図５に示すように、支持枠３にコンクリート柱Ｐの上端部を通し、チェーンバンド４ｂ，５ｂを締め付けて所定位置に台座４，５を固定する。コンクリート柱Ｐの切断位置Ｃ１より上方に振れ止めロープ１１を係止する。台棒装置１のロープ７をコンクリート柱Ｐ（切断位置Ｃ１より上方）に係止してウインチで荷を掛けた状態で、ロープ８で吊り上げたポールクラッシャー１２で切断位置Ｃ１を切断する。切断後、図６に示すように、振れ止めロープ１１を操作して切断柱Ｐ１を台棒の軸周りに旋回させ、台棒本体２を旋回部２ｄにおいて回転させて切断柱Ｐ１を所定の荷下ろし位置まで移動する。ウインチのロープ７を緩めて切断柱Ｐ１を地上へ降ろす。この間、切断柱Ｐ１の上部が支持枠３に支持されているので揺動することなく作業を進めることができる。
【００１３】
次に、コンクリート柱Ｐに、第２回切断位置Ｃ２及び台座４，５の取り付け位置を明示し、図７に示すように、チェーンバンド４ｂ，５ｂを緩め、せり下げ用滑車１３、ロープ１４を用いて台棒装置１を所定位置までせり下げ、チェーンバンド４ｂ，５ｂを締めて固定する（図８、図１（Ｂ））。台棒装置１のせり下げに先立ち、図３、図７に示すように、ガイドロープ１３をコンクリート柱Ｐの側面に沿って上下方向に設置する。ロープ１３は、上端を上部台座５の上方でコンクリート柱Ｐに係止し、中間部を台座４，５のＵクレビス４ｆ，５ｅ及び当接部４ｃ，５ｃとコンクリート柱Ｐとの間に通してコンクリート柱Ｐに沿わせ、下端を地上付近でコンクリート柱Ｐに係止して張力を加えておく。ロープ１３は、コンクリート柱ＰのステップボルトＢの部位に係止し、締め付け具Ｔ（図７）を用いて張力を加えるのが好都合である。台座４，５は、Ｕクレビス４ｆ，５ｅを介して緊張したガイドロープ１３に支持されるから、チェーンバンド４ｂ，５ｂを緩めると、ガイドロープ１３にそって、円滑に下降させることができ、下降中に台棒本体２が転倒することもない。台棒装置１を所定位置までせり下げたら、同様に第２回切断位置Ｃ２をポールクラッシャー１２で切断し、切断柱Ｐ２を地上へ降ろす。
【００１４】
同様に、図１（Ｃ）の位置まで台棒装置１をせり下げて固定し、第３回切断位置Ｃ３を切断し、切断柱Ｐ３を地上へ降ろしたら（図９）、チェーンバンド５ｂを外して 台棒本体２を枢着部４ｃ中心に転倒させて、分解回収する。残余のコンクリート柱Ｐは、基礎を掘り起こして回収する。なお、切断回数は、コンクリート柱Ｐの長さに応じて適宜変更する。
【００１５】
【発明の効果】
以上のように、本発明は、比較的大型で大重量であるコンクリート柱に適用できる吊り上げ用の台棒装置と、これを用いたコンクリート柱の切断回収方法を提供することができる。市街地等の狭隘な作業現場において、重機等の大型装置を用いずに、また田畑地等の作業現場においては重機搬入用の仮設道路を設置することなく、安全かつ容易にコンクリート柱の切断、回収作業を進めることができ、また作業終了後の装置の撤収作業も簡易迅速に行うことができるという効果を有する。
【図面の簡単な説明】
【図１】台棒装置を用いたコンクリート柱の切断回収工程を示す説明図である。
【図２】台棒装置の旋回部の断面である。
【図３】台棒装置の下部ユニット柱の正面図である。
【図４】コンクリート柱の切断回収工程を示す説明図である。
【図５】コンクリート柱の切断回収工程を示す説明図である。
【図６】コンクリート柱の切断回収工程を示す説明図である。
【図７】コンクリート柱の切断回収工程を示す説明図である。
【図８】コンクリート柱の切断回収工程を示す説明図である。
【図９】コンクリート柱の切断回収工程を示す説明図である。
【符号の説明】
１    台棒装置
２    台棒本体
２ａ  ユニット柱
２ｂ  ユニット柱
２ｃ  ユニット柱
２ｄ  旋回部
３    支持枠
４    下部台座
４ａ  台座本体
４ｂ  チェーンベルト
４ｃ  枢支部
４ｄ  当接部
４ｅ  イヤ
４ｆ  Ｕクレビス
５    上部台座
５ａ  台座本体
５ｂ  チェーンバンド
５ｃ  当接部
５ｄ  イヤ
５ｅ  Ｕクレビス
６    滑車装置
７    ロープ
８    振れ止めロープ
９    滑車
１０    ロープ
１１    振れ止めロープ
１２    ポールクラッシャー
１３    せり下げ用滑車
１４    せり下げ用ロープ
１５    ガイドロープ
Ｃ１  第１回切断位置
Ｃ２  第２回切断位置
Ｃ３  第３回切断位置
Ｐ    コンクリート柱
Ｐ１  上部切断柱
Ｐ２  上部切断柱
Ｐ３  上部切断柱
Ｓ    挿通空間
【図１】
2004204506.tif 000003
【図２】
2004204506.tif 000004
【図３】
2004204506.tif 000005
【図４】
2004204506.tif 000006
【図５】
2004204506.tif 000007
【図６】
2004204506.tif 000008
【図７】
2004204506.tif 000009
【図８】
2004204506.tif 000010
【図９】
2004204506.tif 000011